(57)【要約】【課題】意図しない直管形ランプの回転を抑制する防水ソケットおよび照明装置を提供する。【解決手段】直管形ランプの口金部から突出するランプピンを挿入する挿入口１ｅ，１ｅを備えたソケット本体１と、ソケット本体１に装着される直管形ランプの口金部を覆い直管形ランプの軸回りの螺合によりソケット本体１側に締め付ける螺子部を内周面に備えた締付カバー４と、直管形ランプが挿通可能でありソケット本体１と締付カバー４との間に配され、挿通される直管形ランプとの間から水分が浸入することを抑制する筒状のシール材２とを有する防水ソケット１０である。締付カバー４とシール材２との間には、合わせることで筒状体となりシール材２を覆うことが可能な複数個の分割リング３を備えており、筒状体の内径３ｉｄは、弾性体からなるシール材２の外径２ｏｄよりも小さい。【選択図】図１
2013089457.tif 000002
【特許請求の範囲】
【請求項１】
直管形ランプの口金部から突出するランプピンを挿入する挿入口を備えたソケット本体と、該ソケット本体に装着される前記直管形ランプの前記口金部を覆い前記直管形ランプの軸回りの螺合により前記ソケット本体側に締め付ける螺子部を内周面に備えた締付カバーと、前記直管形ランプが挿通可能であり前記ソケット本体と前記締付カバーとの間に配され、挿通される前記直管形ランプとの間から水分が浸入することを抑制する筒状のシール材とを有する防水ソケットであって、
前記締付カバーと前記シール材との間には、合わせることで筒状体となり前記シール材を覆うことが可能な複数個の分割リングを備えており、前記筒状体の内径は、弾性体からなる前記シール材の外径よりも小さいこと特徴とする防水ソケット。
【請求項２】
前記分割リングは、前記締付カバーの前記ソケット本体側への螺合により、前記シール材を前記ソケット本体側および前記直管形ランプ側それぞれに押圧する突出部を有することを特徴とする請求項１の防水ソケット。
【請求項３】
前記締付カバーは、前記分割リングを挿入する開口部側よりも小さい内径の段部を備え、前記締付カバーの前記ソケット本体側への螺合により、前記段部が前記分割リングを前記直管形ランプ側に押圧することを特徴とする請求項１の防水ソケット。
【請求項４】
前記直管形ランプは、直管形ＬＥＤランプであることを特徴とする請求項１ないし請求項３のいずれか１項に記載の防水ソケット。
【請求項５】
請求項１ないし請求項４に記載のいずれか１項の防水ソケットを備えていることを特徴とする照明装置。
【発明の詳細な説明】
【技術分野】
【０００１】
本発明は、直管形ランプを装着させる防水ソケットおよびそれを備えた照明装置に関する。
【背景技術】
【０００２】
従来から、各種施設や家庭の照明装置として、蛍光ランプを装着するランプソケットを備えた照明装置が広く用いられている。ランプソケットには、屋外や水回りでの使用を考慮した防水性を備えた防水ソケットもある。
【０００３】
この種の防水ソケットとして、図１３に示すように、ソケット本体１００と、防水リングパッキン１０４と、防水リング１０６とを備えたランプソケットが知られている（たとえば、特許文献１）。
【０００４】
特許文献１のランプソケットは、直管形蛍光ランプ（図示していない）を装着可能なものであり、ソケット本体１００の周囲から中心に向かう２本のランプピン挿入開口部１１１を設けている。ランプソケットは、ソケット本体１００が周囲にねじを設けたねじ筒部１１０を有する。ランプソケットは、ねじ筒部１１０の内部に導電端子１０３を覆うカバー１０２を装着している。ランプソケットは、直管形蛍光ランプのランプピンがランプピン挿入開口部１１１に沿って挿入され、ランプピン挿入開口部１１１の端部にて導電端子１０３に接続した状態で直管形蛍光ランプを保持する。ランプソケットは、ランプピンの接続後において、防水リングパッキン１０４の一端側をカバー１０２と、ソケット本体１００のねじ筒部１１０との間に挿入し、他端側に防水リング１０６の回転時の摩擦を低減させる金属リング１０５を配置する。
【０００５】
ランプソケットは、防水リング１０６を防水リングパッキン１０４に被せ、防水リング１０６の内側面に設けられたねじ１０６ａをソケット本体１００のねじ筒部１１０に螺合して締め込む。
【０００６】
これにより、特許文献１のランプソケットは、防水リングパッキン１０４が圧縮されて防水性能が確保できる、としている。
【先行技術文献】
【特許文献】
【０００７】
【特許文献１】特開２００５−４４７１９号公報
【発明の概要】
【発明が解決しようとする課題】
【０００８】
ところで、近年、蛍光ランプに比べて長寿命で、消費電力をより低くすることが可能な発光ダイオードを用いたＬＥＤランプが普及しつつあり、直管形蛍光ランプの代替光源としての直管形ＬＥＤランプおよび該直管形ＬＥＤランプを装着させる直管形ＬＥＤランプ専用照明装置が開発されつつある。なお、直管形ＬＥＤランプは、管本体の一端側の口金部から突出した２本のランプピンおよび他端側の口金部から突出した１本のランプピンを備えた構造をしており、日本電球工業会による規格（ＪＥＬ８０１：２０１０）「Ｌ型ピン口金ＧＸ１６ｔ−５付直管形ＬＥＤランプシステム（一般照明用）」も制定されている。
【０００９】
そのため、直管形ＬＥＤランプにおいても従来からの直管形蛍光ランプと同様に屋外や水回りでの使用を考慮した防水性を有する防水ソケットが望まれている。
【００１０】
ここで、直管形ＬＥＤランプは、従来からの一般的な直管形蛍光ランプとは異なり、直管形ＬＥＤランプの両端部に設けられる口金部が、直管形ＬＥＤランプの発光管よりも大きな直径を有する構造のものがある。
【００１１】
上述の特許文献１に記載されたランプソケットは、一般的な直管形蛍光灯ランプに防水リングパッキン１０４を挿通させ、防水リング１０６の締めこみにより防水リングパッキン１０４を直管形蛍光ランプ側に圧縮させている。
【００１２】
そのため、単に、特許文献１のランプソケットの構造を直管形ＬＥＤランプ用に適用した場合、防水ソケットは、直管形ＬＥＤランプの発光管よりも大きな口金部により、直管形ＬＥＤランプに防水リングパッキン１０４を挿通させることが困難になる恐れがある。
【００１３】
また、防水ソケットは、一般的な直管形蛍光ランプと同様に、直管形ＬＥＤランプを直管形ＬＥＤランプの軸回りに回動させて装着させる回転構造が望まれる場合がある。
【００１４】
しかしながら、特許文献１のランプソケットは、単に、回転構造の防水ソケットに応用しただけでは、防水リング１０６をソケット本体１００に螺合する際に、防水リング１０６の回転とともに直管形ランプも意図せず回転する共回りが生ずる恐れがある。特に、直管形ＬＥＤランプや直管形蛍光ランプである直管形ランプを直管形ランプの軸回りに回転させて装着させる回転構造の防水ソケットでは、直管形ランプの軸回りに回転しやすい傾向にある。そのため、回転構造のソケットに応用した防水ソケットでは、直管形ランプ側と防水ソケット側との電気的な接触不良を生じさせる原因となる恐れがある。
【００１５】
さらに、直管形ＬＥＤランプは、直管形ＬＥＤランプ自体が照射する光に指向性がある。そのため、回転構造のソケットに応用した防水ソケットでは、直管形ランプの共回りに起因して、防水ソケットに装着された直管形ＬＥＤランプからの配光が影響を受けやすいという問題がある。
【００１６】
本発明は、上記事由に鑑みてなされたものであり、その目的は、意図しない直管形ランプの回転を抑制する防水ソケットおよびそれを用いた照明装置を提供することにある。
【課題を解決するための手段】
【００１７】
本発明の防水ソケットは、直管形ランプの口金部から突出するランプピンを挿入する挿入口を備えたソケット本体と、該ソケット本体に装着される上記直管形ランプの上記口金部を覆い上記直管形ランプの軸回りの螺合により上記ソケット本体側に締め付ける螺子部を内周面に備えた締付カバーと、上記直管形ランプが挿通可能であり上記ソケット本体と上記締付カバーとの間に配され、挿通される上記直管形ランプとの間から水分が浸入することを抑制する筒状のシール材とを有する防水ソケットであって、上記締付カバーと上記シール材との間には、合わせることで筒状体となり上記シール材を覆うことが可能な複数個の分割リングを備えており、上記筒状体の内径は、弾性体からなる上記シール材の外径よりも小さいこと特徴とする。
【００１８】
この防水ソケットにおいて、上記分割リングは、上記締付カバーの上記ソケット本体側への螺合により、上記シール材を上記ソケット本体側および上記直管形ランプ側それぞれに押圧する突出部を有することが好ましい。
【００１９】
この防水ソケットにおいて、上記締付カバーは、上記分割リングを挿入する開口部側よりも小さい内径の段部を備え、上記締付カバーの上記ソケット本体側への螺合により、上記段部が上記分割リングを上記直管形ランプ側に押圧することが好ましい。
【００２０】
この防水ソケットにおいて、上記直管形ランプは、直管形ＬＥＤランプであることが好ましい。
【００２１】
本発明の照明装置は、上述のいずれかの防水ソケットを備えていることを特徴とする。
【発明の効果】
【００２２】
本発明の防止ソケットは、意図しない直管形ランプの回転を抑制する防水ソケットを提供できるという顕著な効果がある。
【００２３】
本発明の照明装置は、意図しない直管形ランプの回転を抑制する防水ソケットを備えた照明装置を提供できるという顕著な効果がある。
【図面の簡単な説明】
【００２４】
【図１】実施形態１の防水ソケットを示す分解斜視図である。
【図２】同上の防水ソケットの要部の説明図である。
【図３】同上の防水ソケットの別の要部の底面図である。
【図４】同上の防水ソケットの要部を示し、直管形ランプの装着前の断面説明図である。
【図５】同上の防水ソケットの要部を示し、直管形ランプの装着後の断面説明図である。
【図６】同上の別の防水ソケットを示す分解斜視図である。
【図７】同上の防水ソケットに直管形ランプを装着させる装着方法を示す概略斜視図である。
【図８】同上の防水ソケットに装着される直管形ランプを示す概略正面図である。
【図９】同上の防水ソケットに装着される直管形ランプを示し、一端側の口金たる第１口金部に他端側の口金たる第２口金部のランプピンを投影した側面説明図である。
【図１０】実施形態２の防水ソケットを示す分解斜視図である。
【図１１】同上の照明装置を示す外観斜視図である。
【図１２】実施形態３の照明装置を示す概略構成図である。
【図１３】従来のランプソケットの分解斜視図である。
【発明を実施するための形態】
【００２５】
（実施形態１）
図１ないし図７に基づいて、本実施形態の防水ソケット１０を説明し、図８および図９に基づいて直管形ランプ２０を説明する。なお、各図において、同様の構成要素に対しては、同じ番号を付して重複する説明を省略している。
【００２６】
最初に、本実施形態の防水ソケット１０に装着するＬ型口金付直管形ＬＥＤランプからなる直管形ランプ２０について説明する。図８および図９に示す直管形ランプ２０は、透光性材料（たとえば、ガラスや合成樹脂など）により円筒形状の直管に形成された管本体である発光管２１を備えている。発光管２１の軸方向の両端部には、口金がそれぞれ設けられている。本実施形態の防水ソケット１０に装着される直管形ランプ２０は、一方の端部における口金として、発光管２１の一端部側を覆うように、有底円筒状の給電用の第１口金部２２が設けられている。また、直管形ランプ２０は、他方の端部における口金として、発光管２１の軸方向の他端部側を覆うように、有底円筒状の接地用の第２口金部２３が設けられている。
【００２７】
発光管２１の内部には、図示していないが発光管２１よりも全長が若干短い矩形板状の実装基板（たとえば、セラミック基板など）が収納されている。実装基板の一表面側には白色光が発光可能な複数個の発光ダイオード（図示していない）を所定の間隔で実装して電気的に接続する回路パターンが形成されている。また、実装基板の他表面側には、該他表面側と接する底面部から突出した側壁部が発光ダイオードからの光を所定の方向に反射させる断面Ｃ字形状の反射板（図示していない）を備えている。なお、反射板は、アルミニウムにより形成されており、実装基板の他表面側から底面部を介して発光ダイオードの熱を外部に放出させるヒートシンクとしても機能する。
【００２８】
直管形ランプ２０の第１口金部２２の端面には、側面視において、第１口金部２２の径方向における中央部の両側に略半円状に凹んだ凹部２２ｂ，２２ｂが設けられ（図９を参照）、中央部が凹部２２ｂよりも前方に突出した直方体状の突出部２２ａとなっている。突出部２２ａには、円筒形状の発光管２１の中心軸（図示していない）を挟んで対称な位置に、金属材料により板状に形成され、直管形ランプ２０の軸方向に沿って突出する給電用のランプピンたる２本の第１ランプピン２４，２４が略平行に設けられている。各第１ランプピン２４は、直管形ランプ２０の軸方向と平行に突出した板状突出部２４ａと、板状突出部２４ａの先端部が略直角に曲げられて、中心軸に向かう方向と反対側の外側方向に突出している折曲部２４ｂとを備えている。
【００２９】
２本の第１ランプピン２４，２４は、たとえば、発光管２１の内部で図示していないリード線を介して実装基板の回路パターンと電気的に接続させている。なお、実装基板には、発光ダイオードが実装されるとともに発光ダイオードを電気的に保護する全波整流器などの回路部品（図示していない）も実装させている。すなわち、直管形ランプ２０は、いずれの第１ランプピン２４，２４が防水ソケット１０を介して外部の直流電源の正極側と接続された場合でも、各発光ダイオードに順方向電流が流れるように、２本の第１ランプピン２４，２４と、各発光ダイオードとを全波整流器を介して電気的に接続させた構造としている。したがって、２本の第１ランプピン２４，２４は、直管形ランプ２０の発光ダイオードに給電する端子として機能する。
【００３０】
なお、直管形ランプ２０に収容されている発光ダイオードは、図示していないが、たとえば、通電することにより、ピーク波長が、４２０ｎｍ〜４９０ｎｍの範囲内にある青色光を放射するＬＥＤチップと、ＬＥＤチップを収納する収納凹所が一表面に設けられたセラミック（たとえば、アルミナなど）製のパッケージ本体とを備えている。収納凹所には、ＬＥＤチップから放射された青色光の一部を吸収し、より長波長の蛍光（たとえば、黄色光）を発する蛍光体（たとえば、Ｃｅで付活されたＹ３Ａｌ５Ｏ１２、Ｃｅで付活されたＴｂ３Ａｌ５Ｏ１２などのアルミネート系の蛍光体やＥｕで付活されたＢａ２ＳｉＯ４などのシリケート系の蛍光体）が含有された透光性材料（たとえば、シリコーン樹脂、エポキシ樹脂、アクリル樹脂、ポリカーボネート樹脂やガラスなど）からなる波長変換部材が埋設されている。また、発光ダイオードは、パッケージ本体の他表面に外部接続用電極（図示していない）が設けられており、該外部接続用電極と実装基板の回路パターンとが半田からなる接合部（図示していない）を介して電気的に接続されている。
【００３１】
直管形ランプ２０の他端側の口金となる第２口金部２３は、直管形ランプ２０の軸方向に沿って第２口金部２３から突出する接地用のランプピンたる１本の第２ランプピン２５を備えている。第２ランプピン２５は、第２口金部２３の端面の中心部から直管形ランプ２０の軸方向に沿って突出し、金属材料により丸棒状に形成された軸部２５ａを備えている。軸部２５ａの先端部には、直管形ランプ２０の軸方向から見た形状が直管形ランプ２０の第１口金部２２から突出する２本の第１ランプピン２４，２４が並ぶ方向と平行方向を、長手方向とする長円形状に形成され、軸部２５の軸径よりも大きな径大部２５ｂを備えている（図９を参照）。なお、径大部２５ｂは、長円形状だけに限らず、楕円形状であってもよい。径大部２５ｂは、金属材料からなり軸部２５ａと一体に形成されている。すなわち、第２ランプピン２５は、直管形ランプ２０の軸方向に沿って突出した丸棒状の軸部２５ａと、径大部２５ｂとを有してＴ字状の形状となっている（図８を参照）。第２ランプピン２５は、実装基板の回路パターンと電気的に接続して接地用のアースピンとして機能させている。すなわち、直管形ランプ２０は、一端部側の第１口金部２２から給電する片側給電方式となっている。
【００３２】
このような直管形ランプ２０の第１口金部２２を装着可能な図１に示す本実施形態の防水ソケット１０は、直管形ランプ２０の第１口金部２２から突出する第１ランプピン２４，２４を挿入する挿入口たる第１挿入口１ｅ，１ｅを備えたソケット本体１を有している。防水ソケット１０は、ソケット本体１に装着される直管形ランプ２０の第１口金部２２を覆い直管形ランプ２０の軸回りの螺合によりソケット本体１側に締め付ける螺子部４ｄ（図２を参照）を内周面に備えた締付カバー４を有している。防水ソケット１０は、直管形ランプ２０が挿通可能でありソケット本体１と締付カバー４との間に配され、挿通される直管形ランプ２０との間から水分が浸入することを抑制する筒状のシール材２を有している。防水ソケット１０は、締付カバー４とシール材２との間に、合わせることで筒状体となりシール材２を覆うことが可能な複数個（ここでは、２個）の分割リング３，３を備えている。防水ソケット１０は、筒状体の内径３ｉｄが、弾性体からなるシール材２の外径２ｏｄよりも小さくしている。
【００３３】
以下、本実施形態の防水ソケット１０の各構成について詳述する。
【００３４】
本実施形態の給電用ランプソケットたる防水ソケット１０（以下、防水ソケット１０Ａともいう）のソケット本体１は、より具体的には、直管形ＬＥＤランプ２０の第１口金部２２を装着可能な構造としている。防水ソケット１０Ａは、ボディ部１ａの一表面１ａａ側に、直管形ＬＥＤランプ２０の第１口金部２２の突出部２２ａが当接可能な第１受口面１ａｂを有する第１突出部１ｃを備えている。防水ソケット１０Ａは、防水ソケット１０Ａの第１突出部１ｃの外周壁１ｆ側から中心部側に第１ランプピン２４における板状突出部２４ａおよび折曲部２４ｂを挿入可能な一対の第１挿入口１ｅ，１ｅを備えている。ここで、一対の第１挿入口１ｅ，１ｅは、外周壁１ｆ側から一対の第１ランプピン２４における板状突出部２４ａおよび折曲部２４ｂを各別に挿入できるように、互いに離れる向きのＬ字状の形状に形成している（図３を参照）。すなわち、防水ソケット１０Ａは、防水ソケット１０Ａの外周壁１ｆに第１ランプピン２４の外形形状に対応する形状の第１挿入口１ｅが設けられている。
【００３５】
防水ソケット１０Ａは、内部に第１口金部２２から突出した一対の第１ランプピン２４，２４とそれぞれ電気的に接続可能な一対の導電部（図示していない）を構成する給電用の導電板を備えている。なお、一対の導電部は、それぞれ導電性の良好な金属材料（たとえば、銅合金など）の板状体を折り曲げ加工して形成される。防水ソケット１０Ａの第１受口面１ａｂは、直管形ＬＥＤランプ２０の突出部２２ａと当接し、一対の平行な第１挿入口１ｅ，１ｅ内それぞれにおける導電板の一対の接触片が直管形ＬＥＤランプ２０の第１ランプピン２４を保持している。ここで、直管形ＬＥＤランプ２０を防水ソケット１０Ａに装着した場合、各第１ランプピン２４の板状突出部２４ａは、導電板の一対の接触片に弾接され、第１ランプピン２４が防水ソケット１０Ａ側に保持される。第１ランプピン２４の板状突起部２４ａは、導電板の一対の接触片に保持されることで、直管形ＬＥＤランプ２０が防水ソケット１０Ａから抜けにくくなる。
【００３６】
給電用の一対の導電板は、一対の第１ランプピン２４,２４と、それぞれ各別に電気的に接続することで直管形ＬＥＤランプ２０に電力を供給することができる。なお、導電板は、図示していない給電用の電線と、電気的に簡便に接続できるように速結端子をそれぞれ備えた構成としてもよい。また、ボディ部１ａには、ボディ部１ａの両側面から突出させた凸部１ｂｂ，１ｂｂにより、防水ソケット１０Ａを取り付ける保持基台側と嵌合させる取付溝１ｂａを好適に設けている。
【００３７】
また、防水ソケット１０Ａは、直管形ＬＥＤランプ２０の一端側の口金部である第１口金部２２を覆う締付カバー４を好適に備えている。締付カバー４は、挿通される直管形ＬＥＤランプ２０との間から水分が浸入することを抑制する円筒状の弾性体からなるシール材２を備えている。締付カバー４は、第１突出部１ｃの雄螺子部１ｆａと螺子合できるように、締付カバー４の第１突出部１ｃ側の端部となる内周面に雌螺子部たる螺子部４ｄを備えている。なお、締付カバー４は、複数個の分割リング３を合わせた筒状体を介してシール材２を収容している。
【００３８】
シール材２は、たとえば、合成樹脂により形成した一対の分割リング３，３を合わせた筒状体の内側に配置される。シール材２には、シール本体部２ｃと、シール本体部２ｃよりも内径が小さく、ボディ部１ａおよび直管形ランプ２０の発光管２１それぞれに密着させる円環状のシール密着部２ｂを有している。円筒状のシール材２は、シール開口部２ａに直管形ランプ２０の第１口金部２２およびボディ部１ａを挿入することができるように、第１口金部２２およびボディ部１ａの外径よりも若干大きく締付カバー４のカバー開口部４ａよりも小さい内径を備えている（図４および図５を参照）。
【００３９】
分割リング３は、複数個の分割リング３を合わせた筒状体が、シール材２を介して、直管形ランプ２０の第１口金部２２を収納することができるように第１口金部２２の外径よりも若干大きく、シール材２を収容して当接する突出部３ｂを形成している。すなわち、防水ソケット１０Ａは、締付カバー４のソケット本体１側への螺合により、分割リング３がシール材２をソケット本体１側および直管形ランプ２０側それぞれに押圧する突出部３ｂ，３ｂを有している。なお、分割リング３は、合わせることで、シール材２を覆うことが可能な筒状体が形成できればよく、３個以上用いてもよい。
【００４０】
締付カバー４は、合成樹脂により円筒状に形成している。円筒状の締付カバー４は、カバー開口部４ａに直管形ランプ２０の第１口金部２２を挿入することができるように、カバー開口部４ａの内径を第１口金部２２の外径よりも若干大きくしている。締付カバー４は、締付カバー４の内周面に雄螺子部１ｆａと螺合する螺子部４ｄが形成されている。締付カバー４は、直管形ランプ２０の軸回りに回転させ、螺子部４ｄと雄螺子部１ｆａとの螺合により、ソケット本体１に取り付けられた直管形ランプ２０の第１口金部２２の外周面を覆ってソケット本体１に取り外し可能に取り付けられる。締付カバー４には、ボディ部１ａ側のカバー開口部４ａよりも内径が小さくなる段部４ｂを備えている。締付カバー４は、段部４ｂの内径４ｉｄ２を、分割リング３，３を合わせた筒状体の外径に相当する外形３ｏｄよりも若干小さくしている。締付カバー４は、分割リング３，３を介して、リング状の弾性体により成形されたシール材２を直管形ランプ２０に押圧して圧縮できるように収容している。言い換えれば、締付カバー４は、分割リング３を挿入する開口部側の内径４ｉｄ１よりも小さい内径４ｉｄ２の段部４ｂを備え、締付カバー４のソケット本体１側への螺合により、段部４ｂが分割リング３を直管形ランプ２０側に押圧する。なお、締付カバー４は、螺子部４ｄと反対側の端縁に、押圧されたシール材２が外部に突出することを抑制する内縁部４ｃを備えている。
【００４１】
本実施形態の防水ソケット１０Ａでは、締付カバー４と、挿通される直管形ランプ２０に密着するシール材２との間に、分割リング３が配置される。シール材２は、弾性体からなるシール材２の外周面側に分割リング３が配され、内周面側で直管形ランプ２０およびボディ部１ａと密着可能としている。
【００４２】
締付カバー４は、ボディ部１ａ側と螺合することにより、段部４ｂが分割リング３を介してシール材２のシール開口部２ａの内径を小さくし、シール密着部２ｂと直管形ランプ２０およびボディ部１ａとが密着するように締め付ける。ここで、分割リング３は、シール材２と比較して、非粘着性かつ低摩擦係数の合成樹脂材料により形成している。同様に、締付カバー４は、シール材２と比較して、非粘着性かつ低摩擦係数の合成樹脂材料により形成している。
【００４３】
そのため、防水ソケット１０Ａは、締付カバー４をボディ部１ａに対し軸回りに回転して締付ける場合、締付カバー４と、シール材２とが直接接触する防水ソケットの構造と比較して、直管形ランプ２０とシール材２との密着性を維持したまま、締付カバー４をボディ部１ａに対して回転し易くすることができる。
【００４４】
次に、直管形ランプ２０の第２口金部２３側が装着される接地用ランプソケットたる防水ソケット１０（以下、防水ソケット１０Ｂともいう）について説明する。防水ソケット１０Ｂは、図６に示すように、ソケット本体７に直管形ランプ２０の第２口金部２３が当接可能な第２受口面７ａｂを有している。防水ソケット１０Ｂは、第２受口面７ａｂ側に直管形ランプ２０の第２ランプピン２５を挿入し、直管形ランプ２０の軸回りに軸部２５ａを回転可能に保持できる構成としている。
【００４５】
防水ソケット１０Ｂは、ソケット本体７が、ソケット本体７の一表面７ａａと反対の他表面側に開口部（図示していない）を備えた内部が空洞なボディ部７ａと、ボディ部７ａの開口部を覆うように設けられるカバー部７ｂとを備えている。カバー部７ｂは、ボディ部７ａの開口部を覆うような平板状に形成している。カバー部７ｂは、ボディ部７ａの内周面と当接して係合する係合凸部７ｂａを突出させている。ソケット本体７は、ボディ部７ａとカバー部７ｂとを溶着することで防水構造としている。
【００４６】
ソケット本体７の一表面７ａａ側には、長円形の挿入穴７ａｄがボディ部７ａの下側（図６の右側）に設けられている。挿入穴７ａｄには、接地用の配線（図示していない）を挿入する貫設孔７ｄａを備えたパッキン７ｄが内挿される。
【００４７】
また、ソケット本体７には、ボディ部７ａの内部の空洞に収納され、直管形ＬＥＤランプ２０の第２ランプピン２５と電気的に接続可能な導電部８を構成する接地用の導電板が備えられている。導電部８は、導電性の良好な金属材料（たとえば、銅合金など）の板状体を折り曲げ加工して形成されている。導電部８は、ボディ部７ａの内部の中央に配される中央片８ａと、中央片８ａの両端縁から中央片８ａと垂直に延設された、一対の略平行な延設片８ｂ，８ｃとを備えている。
【００４８】
上方（図６の左方）側の延設片８ｃは、延設片８ｃの先端部に支持され、延設片８ｃの幅方向の端部にそれぞれ設けた一対の支持片８ｃａを備えている。一対の支持片８ｃａは、延設片８ｃとは反対側に設けられ直管形ＬＥＤランプ２０の第２ランプピン２５と接触する接触片８ｃｂをそれぞれ備えている。各接触片８ｃｂは、支持片８ｃａとは反対の先端部に、対向する一対の接触片８ｃｂ，８ｃｂ間の幅よりも広がるように折り曲げられたガイド片８ｃｃをそれぞれ備えている。
【００４９】
ここで、直管形ＬＥＤランプ２０を防水ソケット１０Ｂに装着した場合、防水ソケット１０Ｂの第２受口面７ａｂは、直管形ＬＥＤランプ２０の第２口金部２３と当接する。また、ソケット本体７の挿入口たる第２挿入口７ｇ内における一対の接触片８ｃｂ，８ｃｂは、直管形ＬＥＤランプ２０の第２ランプピン２５を保持する。第２ランプピン２５の軸部２５ａは、導電部８の一対の接触片８ｃｂ，８ｃｂに弾接され、第２ランプピン２５が防水ソケット１０Ｂ側に保持される。第２ランプピン２５の軸部２５ａは、一対の接触片８ｃｂ，８ｃｂに保持されることで、直管形ＬＥＤランプ２０が防水ソケット１０Ｂから抜けにくくなる。
【００５０】
また、導電部８の下方（図６の右方）側の延設片８ｂは、ボディ部７ａに内挿されたパッキン７ｄの貫設孔７ｄａを介して挿入された接地用の配線と簡便に電気的に接続できるように速結端子８ｂａを備えている。速結端子８ｂａは、貫通孔８ｄから配線の先端部が挿入される。速結端子８ｂａは、板状体の折り曲げ加工された保持片８ｄａの弾性により、配線の先端部が保持される。なお、貫設孔７ｄａは、接地用の配線を挿入させるために、１つあればよく必ずしも２つ設ける必要はない。貫設孔７ｄａは、２つ設けた場合、一方の貫設孔７ｄａを、別の防水ソケット１０Ｂなどと電気的に接続させる送り端子用に用いてもよい。なお、ソケット本体７は、ボディ部７ａおよびカバー部７ｂを電気絶縁性の合成樹脂を用いて形成することで絶縁性を確保している。また、防水ソケット１０Ｂは、器具本体側の保持基台に保持させる取付溝７ｅａを好適に設けている。
【００５１】
防水ソケット１０Ｂは、接地用のアースピンとなる第２ランプピン２５と電気的に接続させることで、接地用のアース端子として機能する。なお、第２の導電板８は、接地用に防水ソケット１０Ｂの外部と電気的に接続させる場合だけでなく、単に第２ランプピン２５を保持するだけの構成でもよい。直管形ランプ２０の第２口金部２３側が装着される防水ソケット１０Ｂは、上述した直管形ランプ２０の第１口金部２２側が装着される防水ソケット１０Ａの構造と同様に、直管形ランプ２０の口金部である第２口金部２３から突出する第２ランプピン２５を挿入する挿入口たる第２挿入口７ｇを備えたソケット本体７を有している。防水ソケット１０Ｂは、ソケット本体７に装着される直管形ランプ２０の第２口金部２３を覆い直管形ランプ２０の軸回りの螺合によりソケット本体７側に締め付ける螺子部（図示していない）を内周面に備えた締付カバー４を有している。防水ソケット１０Ｂは、直管形ランプ２０が挿通可能でありソケット本体７と締付カバー４との間に配され、挿通される直管形ランプ２０との間から水分が浸入することを抑制する筒状のシール材２を有している。防水ソケット１０Ｂは、締付カバー４とシール材２との間に、合わせることで筒状体となりシール材２を覆うことが可能な複数個（ここでは、２個）の分割リング３，３を備えている。防水ソケット１０Ｂは、防水ソケット１０Ａと同様に、筒状体の内径３ｉｄを、弾性体からなるシール材２の外径２ｏｄよりも小さくしている。すなわち、直管形ランプ２０の第２口金部２３側が装着される防水ソケット１０Ｂは、直管形ランプ２０の第１口金部２２側を装着させる防水ソケット１０Ａと、直管形ランプ２０の第２口金部２３側を装着させる構造以外は、同様の構造としている。
【００５２】
次に、本実施形態の防水ソケット１０に直管形ランプ２０を装着させて防水構造とする方法について、図７を用いて説明する。
【００５３】
直管形ランプ２０を防水ソケット１０Ａに装着する際には、予め、シール材２のシール開口部２ａおよび締付カバー４のカバー開口部４ａに直管形ランプ２０を挿通させている（図７（ａ）の矢印を参照）。直管形ランプ２０の第１口金部２２側は、防水ソケット１０Ａの挿入口１ｅ，１ｅ内に一対の第１ランプピン２４，２４を挿入させる。第１ランプピン２４は、第１挿入口１ｅからソケット本体１の内部に挿入されて、導電部と接触して保持される。防水ソケット１０Ａは、一対の導電部が直管形ランプ２０の２本の第１ランプピン２４，２４と各別に電気的に接続されるとともに、直管形ランプ２０を機械的に保持する。
【００５４】
この状態で、直管形ランプ２０は、発光管２１内部の発光ダイオードが所定の照射面側を向くように、実装基板と第１ランプピン２４，２４や第２ランプピン２５との位置関係を規定している。この時、２本の第１ランプピン２４，２４は、防水ソケット１０Ａのボディ部１ａの内部に配置されている２個の導電部と、各別に電気的に接続される。これにより、防水ソケット１０Ａは、ボディ部１ａの内部に配置されている２個の導電部を介して、防水ソケット１０Ａ側から直管形ランプ２０の発光ダイオードに直流電流を供給することが可能となる。
【００５５】
次に、直管形ランプ２０を挿通した、シール材２をソケット本体１側に移動させる（図７（ｂ）および図７（ｃ）の矢印を参照）。これにより、シール材２は、ボディ部１ａの第１突出部１ｃを覆う。続いて、防水ソケット１０Ａは、一対の分割リング３，３を合わせて筒状体とする（図７（ｄ）の矢印を参照）。筒状体は、シール材２を覆ってシール材２を収容する。防水ソケット１０Ａは、この状態で、直管形ランプ２０を挿通した、シール材２、分割リング３を合わせた筒状体を、締付カバー４で覆って締付カバー４をソケット本体１側と螺合する（図７（ｅ）の矢印を参照）。なお、直管形ランプ２０は、この状態で、発光ダイオードが所定の照射面側を向くように防水ソケット１０Ａに装着されている。
【００５６】
本実施形態の防水ソケット１０Ａは、締付カバー４の回転に伴う直管形ランプ２０の共回りが抑制され、防水ソケット１０Ａに対する直管形ランプ２０の挿入方向が一定方向に定まった状態で直管形ランプ２０を装着することができる。すなわち、本実施形態の防止ソケット１０は、意図しない直管形ランプ２０の回転を抑制することができる。
【００５７】
なお、図示していないが直管形ランプ２０の第２口金部２３側は、防水ソケット１０Ａと同様にして、防水ソケット１０Ｂに装着させる。ここで、直管形ランプ２０の１本の第２ランプピン２５の径大部２５ｂは、防水ソケット１０Ｂにおける第２の導電板８と電気的に接続させることで、接地用のアースピンとなる。すなわち、第２口金部２３用の防水ソケット１０Ｂは、直管形ランプ２０の第２口金部２３側の保持および直管形ランプ２０のアース接続を行うことが可能となる。
【００５８】
本実施形態の防水ソケット１０は、直管形ランプ２０として片側給電方式のＬ型口金付直管形ＬＥＤランプを用いて説明したが、両側給電方式の直管形ランプを装着させるために用いてもよい。すなわち、防水ソケット１０は、直管形ランプ２０の一端側の第１口金部２２と当接するソケット本体１側だけで給電させる片側給電方式だけでなく、両側給電方式の直管形ランプを装着させるために、直管形ランプ２０の一端側の第１口金部２２と当接する防水ソケットと、直管形ランプ２０の他端側の第２口金部２３と当接する防水ソケットとから給電することが可能な構成としてもよい。
【００５９】
（実施形態２）
図１０に示す本実施形態の防水ソケット１０は、図１に示す防水ソケット１０Ａにおける第１ランプピン２４を直線状に挿入して装着する構造の代わりに、直管形ランプ２０を軸回りに回転させて装着する回転構造とした点が相違する。
【００６０】
本実施形態の防水ソケット１０（以下、防水ソケット１０Ｃともいう）は、図１０に示すように、開口部９ｃａを備え内部が空洞なボディ部９ｃと、ボディ部９ｃの開口部９ｃａの周部を除いて覆いボディ部９ｃに対して回動可能な回転子９ｉとを備えている。また、ソケット本体９には、ボディ部９ｃと回転子９ｉとで囲まれた空洞内に収納され、直管形ランプ２０の２本の第１ランプピン２４，２４と個別に電気的に接続可能な給電用の導電板たる一対の導電部９ｈ，９ｈが備えられている。
【００６１】
また、ソケット本体９は、ボディ部９ｃに、支持部９ｂを介して図示していない器具側に取り付けるためのベース基台９ａを備えている。ボディ部９ｃは、合成樹脂により有底円筒状に形成されている。また、回転子９ｉは、合成樹脂により形成しており、直管形ランプ２０の第１口金部２２の凹部２２ｂが当接可能な第３受口面９ｉａ，９ｉａを有している。ここで、ボディ部９ｃの外周壁９ｄには、直管形ランプ２０の第１口金部２２から突出した２本の第１ランプピン２４，２４を挿入するための挿入口たる第３挿入口９ｅが１つ設けられている。また、回転子９ｉは、回転子９ｉの外周側から回転子９ｉの径方向に沿って、第１ランプピン２４，２４をソケット本体９の内部側に挿入するための直線状溝部９ｋｂを備えている。回転子９ｉは、ボディ部９ｃの内底面における中央部から突出した一対の対応する半円筒状の突出部９ｊに対して回転自在に係合させるため、ボディ部９ｃ側に突出し突出部９ｊの外径よりも内径が大きい円筒状の突部９ｋを備えている。また、回転子９ｉの突部９ｋには、突出部９ｊに設けられた挿入凹部９ｊａに挿入して係合するための係合爪部（図示していない）を備えている。すなわち、回転子９ｉは、回転により外周壁９ｄ側で直線状溝部９ｋｂと第３挿入口９ｅとの位置を一致させることが可能としている。なお、ボディ部９ｃおよび回転子９ｉは、電気絶縁性の合成樹脂を用いて形成することで絶縁性を確保している。
【００６２】
一対の導電部９ｈ，９ｈは、それぞれ導電性の良好な金属材料（たとえば、銅合金など）の板状体を折り曲げ加工して形成される。一対の導電部９ｈ，９ｈは、ボディ部９ｃの内部で、突出部９ｊを介して配置させている。なお、各導電部９ｈは、同形状で形成させても異なる形状であってもよい。ここで、導電部９ｈは、ボディ部９ｃの内部に設けた内壁部９ｍを利用して固定している。
【００６３】
各導電部９ｈは、中央部に直管形ランプ２０の第１ランプピン２４と接触する接触片９ｈａを備えている。各導電部９ｈは、接触片９ｈａの一端部に、一対の接触片９ｈａ，９ｈａ間の幅よりも、より広がる向きに接触片９ｈａから折り曲げられたガイド片９ｈｂを備えている。各導電部９ｈは、接触片９ｈａを介してガイド片９ｈｂと反対側の他端部にベース片９ｈｃを備えている。
【００６４】
直管形ランプ２０を装着させた防水ソケット１０Ｃは、回転子９ｉにおける第３受口面９ｉａに直管形ランプ２０の凹部２２ｂが当接した状態で、ボディ部９ｃ内に配置させた導電部９ｈの接触片９ｈａと直管形ランプ２０の第１ランプピン２４とが接触する。ここで、直管形ランプ２０を防水ソケット１０Ｃに装着した場合、各第１ランプピン２４の板状突出部２４ａは、各導電部９ｈの接触片９ｈａとそれぞれ弾接され、第１ランプピン２４が防水ソケット１０Ｃ側に保持される。なお、防水ソケット１０Ｃは、第１ランプピン２４が第３挿入口９ｅから直線状溝部９ｋｂに沿って挿入された後、直管形ランプ２０を直管形ランプ２０の軸回りに回動させることにより、ボディ部９ｃの第３挿入口９ｅと、回転子９ｉの直線状溝部９ｋｂとの位置がずれる。これにより直管形ランプ２０は、第１ランプピン２４の板状突起部２４ａが導電部９ｈの接触片９ｈａに保持され、防水ソケット１０Ｃから抜け出ることが防がれる。
【００６５】
また、ソケット本体９は、支持部９ｂを介して、ベース基台９ａ側からボディ部９ｃ側まで貫通する複数個（ここでは、２個）の図示しない貫設孔を備えている。ベース基台９ａの貫設孔は、一対の導電部９ｈ，９ｈ側とそれぞれ電気的に接続可能な電線（図示していない）の挿入孔としている。なお、導電部９ｈは、貫設孔に挿入された電線と、電気的に簡便に接続できるように速結端子（図示していない）を備えた構成としてもよい。また、ソケット本体９のベース基台９ａには、ベース基台９ａの両側面に防水ソケット１０Ｃを取り付ける器具側と嵌合させる取付溝９ａａを好適に設けている。
【００６６】
また、ソケット本体９は、ボディ部９ｃの外周壁９ｄにおける外周面に雄螺子部９ｆが設けられている。本実施形態の防水ソケット１０Ｃは、ソケット本体９に装着される直管形ランプ２０の第１口金部２２を覆いボディ部９ｃの雄螺子部９ｆとの螺合によりソケット本体９に締め付ける締付カバー４を備えている。
【００６７】
本実施形態の防水ソケット１０Ｃは、上述した直管形ランプ２０の第１口金部２２側が装着される防水ソケット１０Ａの構造と同様に、締付カバー４を有している。防水ソケット１０Ｃは、直管形ランプ２０が挿通可能でありソケット本体９と締付カバー４との間に配され、挿通される直管形ランプ２０との間から水分が浸入することを抑制する筒状のシール材２を有している。防水ソケット１０Ｃは、締付カバー４とシール材２との間に、合わせることで筒状体となりシール材２を覆うことが可能な複数個（ここでは、２個）の分割リング３，３を備えている。防水ソケット１０Ｃは、実施形態１の防水ソケット１０Ａ，１０Ｂと同様に、筒状体の内径３ｉｄを、弾性体からなるシール材２の外径２ｏｄよりも小さくしている。すなわち、直管形ランプ２０の第１口金部２２側が装着される防水ソケット１０Ｃは、直管形ランプ２０の第１口金部２２側を装着させる防水ソケット１０Ａと、直管形ランプ２０の第１口金部２２側を装着させる構造以外は、同様の構造としている。
【００６８】
これにより、本実施形態の防止ソケット１０Ｃは、意図しない直管形ランプ２０の回転を抑制することが可能となる。
【００６９】
（実施形態３）
以下に、実施形態１で説明した防水ソケット１０を備える照明装置３０について図１１および図１２に基づいて説明する。
【００７０】
本実施形態の照明装置３０は、図１１に示すように、直管形ランプ２０を装着させることが可能な直方体状の照明器具３１を備えている。照明器具３１は、直管形ランプ２０の一端側の第１口金部２２と当接して給電するための図１で示した実施形態１の防水ソケット１０Ａを備えている。また、照明器具３１は、直管形ランプ２０の他端側の第２口金部２３と当接して接地端子となる第２ランプピン２５と電気的に接続可能な実施形態１で説明した第２口金部２３用の防水ソケット１０Ｂを備えている。
【００７１】
照明装置３０は、照明器具３１の長手方向の両端部に直管形ランプ２０を保持できるように照明器具３１の本体に防水ソケット１０Ａ，１０Ｂを突出させて備えている。すなわち、照明装置３０は、直管形ランプ２０における発光管２１の両端に設けられた第１口金部２２、第２口金部２３をそれぞれ対応する防水ソケット１０Ａ，１０Ｂに装着させることで直管形ランプ２０を保持する。なお、照明装置３０は、防水ソケット１０Ａ，１０Ｂを直管形ランプ２０の第１口金部２２および第２口金部２３間の長さに応じた所定の間隔で配置している。なお、防水ソケット１０Ａ，１０Ｂは、それぞれ保持基台３１ｂにおける取付片３１ｂｂに防水ソケット１０Ａの取付溝１ｂａや防水ソケット１０Ｂの取付溝７ｅａを嵌合させている。
【００７２】
照明器具３１の内部には、図１２で示すように、商用電源ＡＣからの電源線が接続される端子台３３と、端子台３３を介して入力される商用電源ＡＣからの交流電圧を直管形ランプ２０に適合した所定の直流電圧に変換して降圧し直管形ランプ２０に供給する点灯回路３２が収納されている。点灯回路３２の出力端子は、配線３４を介して防水ソケット１０Ａと接続されている。防水ソケット１０Ａは、防水ソケット１０Ａに装着された直管形ランプ２０の第１口金部２２側から給電する。また、点灯回路３２のアース端子部は、配線３６を介して、照明器具３１の他方の端部（図１２の右側）に設けた防水ソケット１０Ｂと電気的に接続されている。
【００７３】
なお、照明装置３０は、実施形態１の防水ソケット１０Ａを備える構成だけでなく、実施形態２の防水ソケット１０Ｃを備えた構成でもよい。
【符号の説明】
【００７４】
１，７，９  ソケット本体
１ｅ，９ｅ  第１挿入口（挿入口）
２  シール材
３  分割リング
３ｂ  突出部
４  締付カバー
４ｂ  段部
４ｄ  螺子部
７ｇ  第２挿入口（挿入口）
１０  防水ソケット
２０  直管形ランプ
２２  第１口金部（口金部）
２３  第２口金部（口金部）
２４  第１ランプピン（ランプピン）
２５  第２ランプピン（ランプピン）
３０  照明装置
【図１】
2013089457.tif 000003
【図２】
2013089457.tif 000004
【図３】
2013089457.tif 000005
【図４】
2013089457.tif 000006
【図５】
2013089457.tif 000007
【図６】
2013089457.tif 000008
【図７】
2013089457.tif 000009
【図８】
2013089457.tif 000010
【図９】
2013089457.tif 000011
【図１０】
2013089457.tif 000012
【図１１】
2013089457.tif 000013
【図１２】
2013089457.tif 000014
【図１３】
2013089457.tif 000015